(57)【要約】【課題】扉外面に開口したシリンダ筒挿通穴から針金を挿入しての不正解錠を防止する。【解決手段】シリンダ挿通穴１１を外側から覆う鍔部１３と、シリンダ筒挿通穴とほぼ同径の筒部１４とを軸線方向に連設してなり、内側にシリンダ筒の開口端が通過する内孔を刳貫いたリング状体であって、そのシリンダ錠の取付ブロックが通過する薄肉部を切り欠いて拡開できるようにした本体１２と、この本体の内孔部で取付ブロックが通過する部分に填め込まれるスペーサー１７とを扉外面側からシリンダ筒挿通穴を閉塞するように装着する。【選択図】　図７
2004100415.tif 000002
【特許請求の範囲】
【請求項１】
シリンダ錠を内側に担持し、開口端縁外周部に取付ブロックを突設したカップ状のシリンダ筒を、開口端を内側にして扉外面に開口したシリンダ筒挿通穴に挿通し、錠箱の側板を貫通して錠箱内にある取付ブロックを、扉の自由側端縁から錠箱内に差し通され、取付ブロック及び錠箱を貫通する装着杆によって錠箱に固定するものにおいて、シリンダ挿通穴を外側から覆う鍔部と、シリンダ筒挿通穴とほぼ同径の筒部とを軸線方向に連設してなり、内側にシリンダ筒の開口端が通過する内孔を刳貫いたリング状体であって、そのシリンダ筒の取付ブロックが通過する薄肉部を切り欠いて拡開できるようにした本体と、この本体の内孔部で取付ブロックが通過する部分に填め込まれるスペーサーとを有することを特徴とする扉のシリンダ筒挿通穴の閉塞具。
【発明の詳細な説明】
【０００１】
【発明の属する技術分野】
この発明は、扉のシリンダ筒挿通穴閉塞具（以下単に閉塞具という）に係り、特に、簡単な構造で容易に扉の外面におけるシリンダ筒挿通穴を閉塞することができ、錠前の安全性を向上させることができる閉塞装置に関する。
【０００２】
【従来の技術】
シリンダ錠の扉への装着の態様は、例えば図１に示すように、シリンダ錠１を収納したカップ状のシリンダ筒２を、錠箱３の側板及び扉４を貫通させて扉面外に突出させ、その突出部分を化粧リング５で覆う構造である。
【０００３】
ちなみに、シリンダ筒２そのものは、その開口端縁部外周面に形成された取付ブロック１０、１０（図２参照）及び錠箱３を貫通する装着杆６、６を介して錠箱３に固定される。
【０００４】
しかして、或種の高級な扉においては、化粧リングの代りに、エスカチオン（化粧座板：図示せず）を装着する場合がある。
【０００５】
このエスカチオンは、通常、縦長の板材で、表面に彫刻等の装飾が施されており、室内側から取付ビスで扉外面に呼びつけられるようにして装着される。
【０００６】
【発明が解決しようとする課題】
ところが、錠箱３の寸法及びエスカチオンの取付ビスの位置は事実上一定に定まっており、図３に示すように、取付ビスの位置は生憎錠箱の上端を掠めるような位置にある。
【０００７】
そのため、図３に示すように、エスカチオンの取付ビスとの干渉を避けるため、錠箱３の天井板３ａにビス溝７を、錠箱の側板３ｂの上端にビス孔８を夫々形成しなければならないが、これらビス溝７及びビス孔８は化粧リングを用いる扉用の錠箱には必要無いものである。
【０００８】
なお、図３においてはビス孔８はＵ字形であるが、取付ビスの横断面形状に応じて半円形のビス孔もあるし、矩形のものもある。
【０００９】
しかしながら、同じ機構の錠箱でありながら取付ビス用のビス溝７及びビス孔８を形成したものとしないものとを別個に製造することは、コストの上昇の原因にもなるし、また、管理も困難になるので、化粧リングを装着する扉用の錠箱にもビス溝及びビス孔を形成している。
【００１０】
なお、これらビス溝７及びビス孔８は、図３に示すように、デッドボルト等の錠止部材を操作するデッドカム９の近傍に開口している。
【００１１】
一方、図１に示すように、扉４の外面にはシリンダ筒２や取付ブロック１０を通すためのシリンダ筒挿通穴１１が開口しており、シリンダ錠装着時扉外面側からシリンダ筒の取付ブロック１０を錠箱３内に差込み、扉の自由側端縁側から前記装着杆６、６を取付ブロック１０に差し通してで固定する構造である。
【００１２】
そのため、化粧リングの可動部を持上げ、特殊な形状をした針金の先端部を、シリンダ筒挿通穴１１及び扉の外面と錠箱３との間を通して、上記ビス溝７から錠箱３内に挿入すると、これを引くことによりデッドボルトが引込むので、不正解錠が不可能ではなく、したがって錠前の防犯性が失われる、という不都合がある。
【００１３】
なお、この不正解錠の方法は、これを公表すると防犯上問題があるし、また、実用新案登録第３０８０８９９号に係る登録実用新案公報に記載されているので、ここではその記載を省略する。
【００１４】
この発明は、上記した扉外面に開口したシリンダ筒挿通穴１１を閉塞する簡単な構造の閉塞装置を提供することを目的としている。
【００１５】
【課題を解決するための手段】
上記の目的を達成するため、請求項１に記載の発明は、シリンダ錠を内側に担持し、開口端縁外周部に取付ブロックを突設したカップ状のシリンダ筒を、開口端を内側にして扉外面に開口したシリンダ筒挿通穴に挿通し、錠箱の側板を貫通して錠箱内にある取付ブロックを、扉の自由側端縁から錠箱内に差し通され、取付ブロック及び錠箱を貫通する装着杆によって錠箱に固定するものにおいて、シリンダ挿通穴を外側から覆う鍔部と、シリンダ筒挿通穴とほぼ同径の筒部とを軸線方向に連設してなり、内側にシリンダ筒の開口端が通過する内孔を刳貫いたリング状体であって、そのシリンダ筒の取付ブロックが通過する薄肉部を切り欠いて拡開できるようにした本体と、この本体の内孔部で取付ブロックが通過する部分に填め込まれるスペーサーとを有することを特徴とする。
【００１６】
【実施例】
以下、この発明の実施例を図４乃至図７を参照して説明する。
図４及び図５において符号１２はこの発明の一実施例による閉塞具の本体を示し、この本体１２は、前記シリンダ筒挿通穴１１（第１図）を外側から覆うことができる形状の鍔部１３を備えている。
【００１７】
図示の実施例では、この鍔部１３の外形形状は、後述の筒部に外接する横長の楕円形となっている。
【００１８】
上記本体１２は、また、シリンダ筒挿通穴１１とほぼ同径の外径を有する筒部１４を有し、これら筒部１４及び鍔部１３は筒部の軸線方向（図５で上下方向）において連設されている。
【００１９】
また、この本体１２の内側は、特に図４において明らかなように、シリンダ筒２の開口端（図２参照）が通過できる形状の内孔１５が刳貫かれている。
【００２０】
そして、この本体の側面の、シリンダ錠の取付ブロック１０が通過する薄肉部（図４で上下の部分）の一方が切り欠かれ、スリット１６が形成されている。
【００２１】
したがって、図６に示すように、本体１２はこのスリットの間隔が大きくなる方向に拡開することができる。
【００２２】
一方、この発明による閉塞具は、本体１２の他に、スペーサー１７、１７を有している（図４及び図７参照）。
【００２３】
このスペーサー１７は、本体の内孔部で取付ブロックが通過する部分に填め込まれ、後述するように閉塞具が扉４のシリンダ筒挿通穴１１に装着されたとき、本体内孔部に形成される穴を塞ぐものである。
【００２４】
図示の実施例におけるスペーサー１７は、図４に示すように、厚肉リングをその中心軸線を挟む一対の平面で切断した形状で、例えば両面接着テープにより、予めシリンダ筒２の外周面の所定の角度位置に接着しておくのが望ましい。
【００２５】
上記のように構成されたこの発明の一実施例による閉塞具は、錠箱３を扉４に装着した後、図７に示すように、化粧リング５を装着したシリンダ筒２の内端部に巻装する。
【００２６】
なお、このときスペーサー１７を取付ブロック１０と同じ角度位置におけるシリンダ筒外周面に予め接着しておくものとする。
【００２７】
また、本体１２をシリンダ筒２の内端部に巻装するには、前記スリット１６を開いて本体を拡開させ（図６参照）、この開いた部分にシリンダ筒２を挿入するようにすると容易に巻装できる。
【００２８】
次いで、上記したとは反対に、スリット１６の間隔を狭める方向にリング状の本体を巻締めると、筒部１４（図４参照）の外径が少し小さくなるから、その状態でシリンダ筒の内端部をシリンダ筒挿通穴１１を差し通して扉内に挿入する。
【００２９】
すると、本体１２の筒部１４はシリンダ筒挿通穴１１を通過するが、鍔部１３は扉外面のシリンダ筒挿通穴１１の開口端縁部に引っ掛かってこれに係止される（図７参照）。
【００３０】
後は従来のシリンダ筒装着作業と同様に、錠箱３の側板を貫通して状箱内にある取付ブロック１０、１０を、扉の自由側端縁側から状箱を貫通する装着杆６、６によってシリンダ筒２を固定する。
【００３１】
一旦装着されたら、図７から明らかなように、この閉塞具を構成する本体及びスペーサーを扉内に押込むことはできないし、また、扉外面側から抜出すこともできない。
【００３２】
上記のようにして扉の外面に装着されたこの発明による閉塞具は、化粧リング５の可動部を持上げてその隙間から扉内に針金を挿入しようとしてもそれは不可能である。
【００３３】
それは、図４及び図７から明らかなように、シリンダ筒挿通穴１１（図１参照）の中央部はシリンダ筒２それ自体が、シリンダ筒２の回りの環状の隙間は閉塞具の筒部１４及びスペーサー１７が夫々閉塞しているからである。
【００３４】
【発明の効果】
以上の説明から明らかなように、この発明は、シリンダ挿通穴を外側から覆う鍔部と、シリンダ筒挿通穴とほぼ同径の筒部とを軸線方向に連設してなり、内側にシリンダ筒の開口端が通過する内孔を刳貫いたリング状体であって、そのシリンダ錠の取付ブロックが通過する薄肉部を切り欠いて拡開できるようにした本体と、この本体の内孔部で取付ブロックが通過する部分に填め込まれるスペーサーとを扉外面側からシリンダ筒挿通穴を閉塞するように装着したので、シリンダ筒挿通穴から針金を差込んでの不正解錠を完全に防止することができる、という所期の効果を奏する。
【図面の簡単な説明】
【図１】シリンダ筒の取付の一例を示す線図的断面図。
【図２】シリンダ筒の正面図。
【図３】錠箱の構造の一例を示す一部断面一部側面図。
【図４】本体の背面図。
【図５】本体の平面図。
【図６】拡開した状態を示す本体の背面図。
【図７】この発明による閉塞具を装着したシリンダ筒取付部の線図的断面図。
【符号の説明】
１　シリンダ錠
２　シリンダ筒
３　錠箱
４　扉
５　化粧リング
６　装着杆
７　ビス溝
８　ビス孔
９　デッドカム
１０　取付ブロック
１１　シリンダ筒挿通穴
１２　本体
１３　鍔部
１４　筒部
１５　内孔
１６　スリット
１７　スペーサー
【図１】
2004100415.tif 000003
【図２】
2004100415.tif 000004
【図３】
2004100415.tif 000005
【図４】
2004100415.tif 000006
【図５】
2004100415.tif 000007
【図６】
2004100415.tif 000008
【図７】
2004100415.tif 000009